(57)【要約】  【課題】      木質材（木質繊維材，無垢の天然木質材等）から放散される臭気をより効果的に低減する。  【解決手段】  木質繊維板１０は、臭気を化学的および／または物理的に消臭する消臭剤と芳香を放散する香料とを含む水溶液（消臭液）を木質材からなる基板１２に塗布することによって製造される。この木質繊維板１０では、基板１２から放散される臭気の一部が消臭剤によって化学的および／または物理的に消臭され、消臭されずに残された臭気が香料によって感覚的に消臭（マスキング）される。また、香料から放散される香りは、消臭剤によって人に不快感を与えない程度に弱められる。【選択図】      図１
2005199553.tif 000002
【特許請求の範囲】
【請求項１】
臭気を化学的および／または物理的に消臭する消臭剤と芳香を放散する香料とを含む水溶液を木質材に塗布することによって木質材から放散される臭気を低減するようにした、木質材の臭気低減方法。
【請求項２】
前記消臭剤は植物抽出エキスを含む、請求項１に記載の木質材の臭気低減方法。
【請求項３】
臭気を化学的および／または物理的に消臭する消臭剤と芳香を放散する香料とを含む水溶液が塗布されることによって臭気が低減された木質繊維材からなる基板を備える、木質繊維板。
【発明の詳細な説明】
【技術分野】
【０００１】
本発明は、木質材（木質繊維板、無垢の天然木質材等）から放散される臭気を効率よく低減できる木質材の臭気低減方法およびその方法によって臭気が低減された木質繊維板に関する。
【背景技術】
【０００２】
森林資源の減少が進む近年では、パーティクルボード，ハードボード，ＭＤＦ，インシュレーションボード等のような工業的に生産された木質繊維板が建築資材や家具等の材料として用いられているが、これらの木質繊維板では、製造工程において木質成分（セルロース，ヘミセルロース，リグニン，精油成分等）が加熱または酸化されることに起因して異臭が発生する場合があった。また、無垢の天然木質材であっても、寸法安定性等を得るために高温処理を施した場合には、木質繊維板と同様に異臭が発生する場合があった。
【０００３】
そこで、従来では、（ａ）活性炭やシリカゲル等によって臭気成分を吸着する「物理的消臭法」、（ｂ）香料によって臭気を感覚的にマスキングする「感覚的消臭法」、（ｃ）化学反応を利用して臭気成分を臭いのない物質に変化させる「化学的消臭法（特許文献１）」等によって木質繊維板や無垢の天然木質材から放散される臭気を低減するようにしていた。
【特許文献１】特開２０００−２８９００５号
【発明の開示】
【発明が解決しようとする課題】
【０００４】
しかし、従来の「物理的消臭法」では、臭気成分の吸着量に限界があるため、消臭効果の持続性が悪いという問題があり、「感覚的消臭法」では、多量の香料を用いなければならないため、経済的ではないという問題があった。また、木質材から放散される異臭は、テルペン類，酢酸等の脂肪酸やそのエステル類，アセトアルデヒド等のカルボニル化合物，ハロゲン化フェノール等のような種々の化学物質を臭気源とする複合的な臭気であるため、「化学的消臭法」では、その臭気成分の全てを無臭化することは困難であった。
【０００５】
そして、特に、多種の木質材や廃材を原料とする木質繊維板では、そこから放散される臭気の成分も多様であるため、その臭気を低減することは困難であった。
【０００６】
それゆえに、この発明の目的は、木質材から放散される臭気をより効果的に低減できる木質材の臭気低減方法を提供することである。この発明の他の目的は、臭気が大幅に低減された木質繊維板を提供することである。
【課題を解決するための手段】
【０００７】
請求項１に記載した発明は、「臭気を化学的および／または物理的に消臭する消臭剤と芳香を放散する香料とを含む水溶液を木質材に塗布することによって木質材から放散される臭気を低減するようにした、木質材の臭気低減方法」である。
【０００８】
この発明では、木質材から放散される臭気の一部が消臭剤によって化学的および／または物理的に消臭され、消臭されずに残された臭気が香料によって感覚的に消臭（マスキング）される。また、香料から発せられる香りは、消臭剤によって人に不快感を与えない程度に弱められる。
【０００９】
請求項２に記載した発明は、請求項１に記載した「木質材の臭気低減方法」において、「消臭剤は植物抽出エキスを含む」ことを特徴とする。
【００１０】
この発明では、植物抽出エキスを含む消臭剤を用いるようにしているので、人体に対して無害であり、木質材の安全性を保持できる。
【００１１】
請求項３に記載した発明は、「臭気を化学的および／または物理的に消臭する消臭剤と芳香を放散する香料とを含む水溶液が塗布されることによって臭気が低減された木質繊維材からなる基板１２を備える、木質繊維板１０」である。
【００１２】
この発明に係る「木質繊維板１０」は、請求項１に記載した「木質材の臭気低減方法」によって臭気が低減されたものである。
【発明の効果】
【００１３】
請求項１〜３に記載した発明によれば、消臭剤の化学的および／または物理的な消臭作用と香料の感覚的な消臭作用とによって、木質材（木質繊維板を含む。）から発生する臭気を効果的に抑制することができる。また、香料から放散された強い香が消臭剤によってある程度弱められるので、香料の香が人に対して不快感を与える心配はない。
【００１４】
請求項３に記載した発明によれば、住宅解体廃材や新聞古紙等の廃棄物を原料とする湿式抄造によって基板を製造した場合でも、そこから放散される臭気を大幅に低減することができる。
【発明を実施するための最良の形態】
【００１５】
図１に示す木質繊維板１０は、本発明の「木質材の臭気低減方法」が適用されたものであり、具体的には、パーティクルボード，ハードボード，ＭＤＦ，インシュレーションボード等のような木質繊維材からなる基板１２に対して、臭気を化学的および／または物理的に消臭する消臭剤と芳香を放散する香料とを含む水溶液（以下、「消臭液」という。）を塗布して乾燥させたものである。ただし、本発明の「木質材の臭気低減方法」は、無垢の天然木質材等のような木質繊維材以外の木質材からなる基板１２に対しても適用可能であることを予め指摘しておく。
【００１６】
消臭剤は、臭気成分と化学的に反応して消臭する機能（化学的消臭機能）を有するもの、臭気成分を物理的に包接して消臭する機能（物理的消臭機能）を有するもの、または、これらの両機能を併有するものであり、具体的には、ポリフェノール，シクロデキストリン等のような植物抽出エキスからなるものが用いられる。
【００１７】
香料は、芳香を放散することによって臭気を感覚的にマスキングする機能を有するものであり、具体的には、ペッパー，シナモン，ナツメッグ，クローブ，オ−ルスパイス等の「スパイス系香料」、パセリ，ローレル，バジル，タイム，オレガノ，ローズマリー等の「ハーブ系香料」、ローズ，ジャスミン等の「フローラル系香料」、ムスク等の「動物性香料」が単独または適宜混合して用いられる。
【００１８】
消臭液を構成する消臭剤，香料および水の混合割合や消臭液の塗布量は、特に限定されるものではなく、消臭剤および香料の種類や消臭液が塗布される基板１２の種類に応じて設定される。また、消臭液を基板１２に塗布する方法としては、刷毛，スプレーまたはロールコーター等による方法が採用される。
【００１９】
なお、ポリフェノール等のような熱に弱い消臭剤を用いる場合には、基板１２を一旦乾燥させた後、これを冷却してから消臭液を塗布することが望ましい。また、複数の基板１２を積層して得られる畳床においては、最上層を構成する基板１２または各層を構成する基板１２の上面に消臭液を塗布することが望ましい。さらに、壁材を構成する基板１２に対しては、基板１２の塗装面または表面化粧シート（通気性があるもの）が貼り付けられる基板１２の表面に消臭液を塗布することが望ましい。
【００２０】
この実施例の木質繊維板１０によれば、消臭液に含まれる消臭剤の化学的および／または物理的な消臭作用と香料の感覚的な消臭作用とによって、基板１２から放散される臭気を効果的に低減することができるが、発明者等は、以下の実験によってその効果を確認した。
【００２１】
［実験方法］
表１に示した４種類の塗布液１〜４を作成し、これらをインシュレーションボードに同一条件（濃度、塗布量）で塗布して４種類の試料１〜４を６枚ずつ作成した。そして、各試料１〜４を南向きで８畳の４つの部屋１〜４にそれぞれ敷き詰めて３週間養生させた後に、表２に示した２０人の被験者の嗅覚によって臭気の程度を調査した。つまり、試料２〜４が敷き詰められた部屋２〜４の匂いの程度について、被験者に対するアンケート調査を行った。
【００２２】
なお、表１中の塗布液４が本発明の「木質材の臭気低減方法」で用いられる消臭液であり、試料４が本発明の「木質繊維板１０」である。また、被験者には、「部屋１には何も処理を施していない」ということを教えただけであり、他の部屋２〜４に対する処理内容については一切教えていない。
【００２３】
【表１】
2005199553.tif 000003
【００２４】
【表２】
2005199553.tif 000004
［実験結果］
実験結果は、表３および表４に示した通りである。なお、表４では、部屋１〜４に対して、被験者が「嫌な匂いがする」と感じた順に１〜４の点数を付けた。
【００２５】
【表３】
2005199553.tif 000005
部屋２については、「部屋１と同質の匂いである」と回答したもの（Ｇ，Ｈ，Ｉ）が全体の半数を超え、「何となく違和感を覚える」と回答したもの（Ｆ）もかなりいることから、臭気の低減効果はほとんど発揮されていないことが分かった。また、臭気成分の一部だけが消臭されることによって臭気成分の構成比が変わったためか、「嫌な匂い」と感じるもの（Ｅ）もいることが分かった。
【００２６】
部屋３については、「部屋１とは異なる匂いである」と回答したもの（Ｂ，Ｃ，Ｅ，Ｆ）が９割にのぼり、木質繊維材に特有の臭気は感じられなくなったことが分かった。しかし、「部屋１よりも嫌な匂いになった」と感じるもの（Ｅ，Ｆ）が全体の４割程度おり、また、「長時間は居たくない」と回答したもの（Ｃ，Ｅ）が全体の３割近くいることから、香料の香が強すぎて被験者に不快感を与えていることが分かった。
【００２７】
部屋４については、木質繊維材に特有の「酸っぱい匂い」も感じられず、また、「良い匂い」と感じるもの（Ａ，Ｂ，Ｃ）が最も多いことが分かった。
【００２８】
【表４】
2005199553.tif 000006
表４に示された平均点は、部屋４が「３．５５」と最も高く、統計的に計算しても部屋４における消臭効果が最も高く、他と有意差があることが分かった。
【００２９】
そして、表３および表４より、本発明の木質繊維板１０（試料４）によれば、消臭剤と香料とを併用したことによって、基板（木質繊維材）１２から放散される複合的な臭気を効果的に低減でき、快適な住環境を実現できることが分かった。
【図面の簡単な説明】
【００３０】
【図１】木質繊維板を示す図である。
【符号の説明】
【００３１】
１０…  木質繊維板
１２…  基板
【図１】
2005199553.tif 000007